(57)【特許請求の範囲】
【請求項１】
時計に内蔵されたソーラーセルと、このソーラーセルの表側に配設されたソーラー時計用表示板とを有するソーラー時計用表示板構造において、前記ソーラー時計用表示板の表示板基板を透明樹脂より構成し、この表示板基板の表面または裏面の少なくとも一方に蓄光蛍光体層を形成し、この蓄光蛍光体層の外周から前記表示板基板の外周に、前記蓄光蛍光体層と同色調を有する有色樹脂層を形成したことを特徴とするソーラー時計用表示板構造。
【請求項２】
時計に内蔵されたソーラーセルと、このソーラーセルの表側に配設されたソーラー時計用表示板とを有するソーラー時計用表示板構造において、前記ソーラー時計用表示板の表示板基板を有色樹脂より構成し、この表示板基板の表面または裏面の少なくとも一方に蓄光蛍光体層を形成し、この蓄光蛍光体層の外周から前記表示板基板の外周に、前記蓄光蛍光体層と同色調を有する有色樹脂層を形成したことを特徴とするソーラー時計用表示板構造。
【請求項３】
前記蓄光蛍光体層と前記有色樹脂層とを裏面に形成した前記表示板基板であって、該表示板基板の裏面の外周に、前記蓄光蛍光体層の厚みより厚いスぺーサーを配設して、前記ソーラーセルとの間に隙間を形成するようにしたことを特徴とする請求項１または請求項２に記載のソーラー時計用表示板構造。
【請求項４】
前記蓄光蛍光体層と前記有色樹脂層とを表面に形成した前記表示板基板であって、該表示板基板の裏面の外周に、前記蓄光蛍光体層の厚みより厚いスぺーサーを配設して、前記ソーラーセルとの間に隙間を形成するようにしたことを特徴とする請求項１または請求項２に記載のソーラー時計用表示板構造。
【請求項５】
前記蓄光蛍光体層の表面に、透明樹脂層を形成したことを特徴とする請求項１または請求項２または請求項３または請求項４に記載のソーラー時計用表示板構造。
【発明の詳細な説明】
【０００１】
【発明の属する技術分野】
本発明は、時計に内蔵され且つ光エネルギーを電気エネルギーに変換して使用するソーラーセル（太陽電池）と、ソーラーセルの表面側に配設されたソーラー時計用表示板とを備えるソーラー時計用表示板構造に関するものである。
【０００２】
【従来の技術】
従来から時計、電卓などの電源として太陽電池が用いられているが、この太陽電池は、通常アモルファスシリコンなどから形成されており、光エネルギーを電気エネルギーに変換するものであり、その機能から光があたる位置、すなわち外部から直接見える位置に配設する必要がある。
【０００３】
ところで、従来より腕時計の表示板構造に太陽電池が用いられている。すなわち、腕時計１は、図５及び図６に示すように、その外胴２の内部に、表側にソーラー時計用表示板構造Ａを設けたモジュール４を合成樹脂からなる支持枠３を介して固定し、また、モジュール４に設けられた二重軸構成の針軸５を、ソーラー時計用表示板構造Ａに穿設された中央の孔部Ａ１に貫通し、この針軸５の外軸５ａに時針６を、内軸５ｂに分針７をそれぞれ取付け、外胴２の底側に防水パッキン８を介して裏蓋９を装着し、外胴２の表側に防水パッキン１０ａを介して風防ガラス１０を装着固定して構成してある。
【０００４】
そして、ソーラー時計用表示板構造Ａは、図７に示すようにモジュール４の表側に固着されたソーラーセル１１と、このソーラーセル１１の表側に設けられたソーラー時計用表示板１２から構成してある。そして、このソーラー時計用表示板１２は透明樹脂からなる表示板基板１３と、この表示板基板１３の裏面（下面）に設けられた光透過体である蓄光蛍光体層１４とが構成してある。
【０００５】
すなわち、表示板基板１３の中央には、孔部Ａ１の一部である孔１３Ａが形成してある。そして、表示板基板１３の裏面には、孔１３Ａの周囲から表示板基板１３の外周側にかけて蓄光蛍光体層１４が形成してあり、この蓄光蛍光体層１４は蓄光蛍光体を塗布することで形成されるが、その形成に際して、蓄光蛍光体の表面張力により、蓄光蛍光体層１４の内、外周部１４Ａ、１４Ｂが薄くなっていた。そして、このように構成されたソーラー時計用表示板１２がソーラーセル１１上に組み付けられた状態では、蓄光蛍光体層１４がソーラーセル１１の表面に接触していた。
【０００６】
【発明が解決しようとする課題】
上記のように従来例にあっては、光透過体である蓄光蛍光体層１４の内、外周部１４Ａ、１４Ｂが薄くなっているために、図７に示すように腕時計１を見た場合、表示板基板１３の中心付近では、蓄光蛍光体層１４の内周部１４Ａを透過してソーラーセル１１が見え、また、表示板基板１３の外周付近では、蓄光蛍光体層１４の外周部１４Ｂを透過してソーラーセル１１が見えてしまい、外観品質を悪くするという問題点があった。
【０００７】
また、ソーラー時計用表示板１２がソーラーセル１１上に組み付けられた状態では、蓄光蛍光体層１４がソーラーセル１１の表面に接触しているため、長時間の接触により、蓄光蛍光体層１４の粒子が取れ、モジュール４の中に入り、最悪の場合、時計の止まりを起こすことがあった。また、接触により、干渉縞（ニュートンリング）が生じるようになって、外観品質を悪くするという問題点もあったし、また、更には、長時間の使用により、蓄光蛍光体層１４が外気に触れて湿気で輝度が劣化するという問題点があった。
【０００８】
本発明は、上記の問題点に着目して成されたものであって、その目的とするところは、光透過体である蓄光蛍光体層の内、外周部が薄くなっていても、ソーラーセルが透けて見えることがなく、外観品質がよくなるソーラー時計用表示板構造を提供することにある。
【０００９】
【課題を解決するための手段】
上記の目的を達成するために、請求項１の発明に係るソーラー時計用表示板構造は、時計に内蔵されたソーラーセルと、このソーラーセルの表側に配設されたソーラー時計用表示板とを有するソーラー時計用表示板構造において、前記ソーラー時計用表示板の表示板基板を透明樹脂より構成し、この表示板基板１３の表面または裏面の少なくとも一方に蓄光蛍光体層を形成し、この蓄光蛍光体層の外周から前記表示板基板の外周に、前記蓄光蛍光体層と同色調を有する有色樹脂層を形成したことを特徴とする。
【００１０】
かかる構成により、光透過体である蓄光蛍光体層の周部が薄くなっていても、有色樹脂層があるために、ソーラーセルが透けて見えることがなく、外観品質がよくなる。
【００１１】
また、上記の目的を達成するために、請求項２の発明に係るソーラー時計用表示板構造は、時計に内蔵されたソーラーセルと、このソーラーセルの表側に配設されたソーラー時計用表示板とを有するソーラー時計用表示板構造において、前記ソーラー時計用表示板の表
示板基板を有色樹脂より構成し、この表示板基板の表面または裏面の少なくとも一方に蓄光蛍光体層を形成し、この蓄光蛍光体層の外周から前記表示板基板の外周に、前記蓄光蛍光体層と同色調を有する有色樹脂層を形成したことを特徴とする。
【００１２】
かかる構成により、光透過体である蓄光蛍光体層の周部が薄くなっていても、表示板基板が有色樹脂より成るために、ソーラーセルが透けて見えることがなく、外観品質がよくなる。また、蓄光蛍光体層の色と有色樹脂の色とにより新しい色調の表現ができる。また、更に、蓄光蛍光体層の光が有色樹脂により反射され、蓄光蛍光体層の輝度を上げることができる。
【００１３】
また、光透過体である蓄光蛍光体層の周部が薄くなっていても、表示板基板が有色樹脂より成り、しかも、有色樹脂層があるために、ソーラーセルが透けて見えることがなく、外観品質がよくなる。
【００１４】
また、上記の目的を達成するために、請求項３の発明に係るソーラー時計用表示板構造は、請求項１または請求項２に記載のソーラー時計用表示板構造において、前記蓄光蛍光体層と前記有色樹脂層とを裏面に形成した前記表示板基板であって、該表示板基板の裏面の外周に、前記蓄光蛍光体層の厚みより厚いスぺーサーを配設して、前記ソーラーセルとの間に隙間を形成するようにしたことを特徴とする。
【００１５】
かかる構成により、光透過体である蓄光蛍光体層の周部が薄くなっていても、有色樹脂層があるために、ソーラーセルが透けて見えることがなく、外観品質がよくなるばかりか、ソーラー時計用表示板がソーラーセル上に組み付けられた状態では、スペーサーによりソーラーセルと蓄光蛍光体層との間には隙間が存在するために、蓄光蛍光体層の粒子が取れるということがなく、干渉縞（ニュートンリング）が生じることもないため、機能品質の問題がなくなり、その上、外観品質もよくなる。
【００１６】
また、上記の目的を達成するために、請求項４の発明に係るソーラー時計用表示板構造は、請求項１または請求項２に記載のソーラー時計用表示板構造において、前記蓄光蛍光体層と前記有色樹脂層とを表面に形成した前記表示板基板であって、該表示板基板の裏面の外周に、前記蓄光蛍光体層の厚みより厚いスぺーサーを配設して、前記ソーラーセルとの間に隙間を形成するようにしたことを特徴とする。
【００１７】
かかる構成により、光透過体である蓄光蛍光体層の周部が薄くなっていても、有色樹脂層があるために、ソーラーセルが透けて見えることがなく、外観品質がよくなるばかりか、ソーラー時計用表示板がソーラーセル上に組み付けられた状態では、スペーサーによりソーラーセルと蓄光蛍光体層との間には隙間が存在するために、干渉縞（ニュートンリング）が生じることもなく、機能品質の問題がなくなり、その上、外観品質もよくなる。
【００１８】
また、上記の目的を達成するために、請求項５の発明に係るソーラー時計用表示板構造は、請求項１または請求項２項または請求項３または請求項４に記載のソーラー時計用表示板構造において、前記蓄光蛍光体層の表面に、透明樹脂層を形成したことを特徴とする。
【００１９】
かかる構成により、光透過体である蓄光蛍光体層の周部が薄くなっていても、ソーラーセルが透けて見えることがなく、外観品質がよくなるばかりか、ソーラー時計用表示板がソーラーセル上に組み付けられた状態では、スペーサーによりソーラーセルと蓄光蛍光体層との間には隙間が存在するために、干渉縞（ニュートンリング）が生じることもなく、機能品質及び外観品質がよくなる。しかも、透明樹脂層により蓄光蛍光体層の表面が覆われているために、蓄光蛍光体層が外気に触れることがなくなって、蓄光蛍光体層の湿気等による輝度劣化を防止することができる。
【００２０】
また、請求項１または請求項２または請求項３においては、スペーサーによりソーラーセルと蓄光蛍光体層との間には隙間が存在するために、蓄光蛍光体層の粒子が取れるということがなく、この結果、モジュールへの悪影響もなくなる。
【００２１】
【発明の実施の形態】
以下、本発明の実施例を図面に基づいて詳細に説明する。
【００２２】
（実施例１）
図１は本発明に係るソーラー時計用表示板構造の一部省略した断面図である。なお、本発明に係るソーラー時計用表示板構造において、従来例と同じ部品については同じ符号を付す。
【００２３】
本発明に係るソーラー時計用表示板構造の実施例１は、図１に示すようにモジュール４の表側に固着されたソーラーセル１１と、このソーラーセル１１の表側に設けられたソーラー時計用表示板１２から構成してある。ソーラーセル１１は、従来例で説明したように平面視で扇形状をしていて、４枚のソーラーセル１１を絶縁帯１１ａを挟んで配置してある。
【００２４】
そして、ソーラー時計用表示板１２は、無色透明樹脂からなる表示板基板１３と、この表示板基板１３の裏面（下面）に設けられた蓄光蛍光体層１４と、表示板基板１３の裏面の外周及び孔１３Ａの外周に形成されて蓄光蛍光体層１４と同色調を有する外側有色樹脂層１５Ｂ及び内側有色樹脂層１５Ａと、外側有色樹脂層１５Ｂの上下方向に重ねて設けられたスペーサー１６とから構成してある。
【００２５】
すなわち、表示板基板１３の裏面には、孔１３Ａの周囲に位置させてリング状の内側有色樹脂層１５Ａが、表示板基板１３の外周側に位置させてリング状の外側有色樹脂層１５Ｂがそれぞれ印刷により形成してある。そして、表示板基板１３の裏面には、内、外側有色樹脂層１５Ａ、１５Ｂの間に蓄光蛍光体層１４が塗装またはスクリーン印刷、パッド印刷等により形成してあり、蓄光蛍光体層１４の内周方に内側有色樹脂層１５Ａが位置し、蓄光蛍光体層１４の外周方に外側有色樹脂層１５Ｂが位置している。そして、外側有色樹脂層１５Ｂの面には、アクリル樹脂製のリング状のスペーサー１６が接着材１６ａにより設けてある。そして、表示板基板１３の表面には時字２１が設けてある。
【００２６】
そして、４枚のソーラーセル１１の外周部にリング状のヒートシール１７（絶縁のため）が形成してある。また、前記スペーサー１６は、裏面に接着剤１６ａの付いたアクリル樹脂シートをリング状にプレスにより打ち抜き成形したものである。
【００２７】
そして、スペーサー１６を外側有色樹脂層１５Ｂに接着して、ソーラー時計用表示板１２がソーラーセル１１上に組み付けてあり、この場合、ソーラーセル１１と蓄光蛍光体層１４との間には隙間１８が存在する。
【００２８】
この場合、表示板基板１３の板厚は約４００μｍ程度であり、内、外側有色樹脂層１５Ａ、１５Ｂの膜厚は５μｍ程度であり、スペーサー１６の厚さは１００μｍ程度であり、ヒートシール１７の厚さは７０μｍ程度である。
【００２９】
無色透明樹脂からなる表示板基板１３としては、アクリル樹脂、ポリカーボネート（ポリ炭酸エステル）樹脂などの透明樹脂板を用いることが好ましく、腕時計寸法に応じた所定寸法に外形抜きによって作成する。
【００３０】
また、蓄光蛍光体層１４は、例えば、蓄光蛍光体（蓄光性夜光塗料）の粉末に対して、透明樹脂よりなるバインダーを混合して、表示板基板１３の裏側に塗装またはスクリーン印刷、パッド印刷等により形成される。蓄光性蛍光体は、例えば、米国特許明細書第５，３７６，３０３号明細書に開示されているように、
ＭＯ・ａ（Ａｌ1 - b Ｂb ）2 Ｏ3 ：ｃＲ
０．５≦ａ≦１０．０
０．０００１≦ｂ≦０．５
０．０００１≦ｃ≦０．２
（式中、ＭＯはＭｇＯ、ＣａＯ、ＳｒＯ及びＺｎＯからなる群から選択した少なくとも１種の二価金属酸化物で、ＲはＥｕ2 + に加えて、Ｐｒ、Ｎｄ、Ｄｙ及びＴｍからなる群から選択した少なくとも１種以上の希土類元素である）の組成式で示された青緑色発光蓄光性蛍光体が使用可能である。なお、これら以外の蓄光性蛍光体も使用可能であることは勿論である。
【００３１】
また、バインダーとしては、アクリル系樹脂、ウレタン系樹脂あるいはこれらの変成樹脂、またはＵＶ硬化型アクリル系樹脂、ＵＶ硬化型ウレタン系樹脂などが使用可能であり、これら樹脂の硬化方法としては、熱硬化、ＵＶ硬化、常温硬化名度を採用することができる。
【００３２】
また、蓄光性蛍光体層１４の厚さを薄くしても、下面のソーラーセル１１を見えにくくする手段として、蓄光性蛍光体層１４の中に光拡散材を入れる方法がある。この場合、蓄光性蛍光の粉末に対して光拡散材を３〜１８重量％、好ましくは５〜１５重量％、より好ましくは８〜１２重量％の範囲で混練し、これに透明樹脂よりなるバインダーを混合して、表示板基板１３の裏面に塗装または印刷により形成する。また光拡散剤としては、ケイ酸粉末、炭酸カルシウム粉末、燐酸カルシウム粉末などを用いることができ、その粒径は、所期の拡散硬化を考慮すれば、５〜１５μｍ、より好ましくは８〜１２μｍであることが好適である。
【００３３】
内、外側有色樹脂層１５Ａ、１５Ｂは、蓄光性蛍光体層１４と同色調（疑似色）を有する合成樹脂で形成され、これらの内、外側有色樹脂層１５Ａ、１５Ｂは表示板基板１３の裏面に印刷により形成されるものである。内、外側有色樹脂層１５Ａ、１５Ｂを形成する有色樹脂は無色透明な合成樹脂に蓄光性蛍光体を混入して成形してもよい。
【００３４】
上記した実施例１によれば、表示板基板１３の裏面に、孔１３Ａの周囲に位置させてリング状の内側有色樹脂層１５Ａが、外周側に位置させてリング状の外側有色樹脂層１５Ｂがそれぞれ印刷により形成してあるため、光透過体である蓄光蛍光体層１４の内、外周部１４Ａ、１４Ｂが表面張力により薄くなっていても、腕時計１を見た場合、表示板基板１３の中心付近では、内側有色樹脂層１５Ａがあるために、ソーラーセル１１が見えることがなく、また、表示板基板１３の外周付近でも、外側有色樹脂層１５Ｂがあるために、ソーラーセル１１が見えることがない。このために、外観品質がよくなる。
【００３５】
また、外側有色樹脂層１５Ｂの面には、アクリル樹脂製のリング状のスペーサー１６が接着剤１６ａにより設けてあって、ソーラー時計用表示板１３がソーラーセル１１上に組み付けられた状態では、スペーサー１６により、ソーラーセル１１と蓄光蛍光体層１４との間には隙間１８が存在するために、ソーラーセル１１と蓄光蛍光体層１４が接触せず、粒子が取れモジュール４に悪影響を及ぼすということがなく、更に、干渉縞（ニュートンリング）が生じることもないため、機能品質及び外観品質もよくなる。
【００３６】
（実施例２）
図２は本発明に係るソーラー時計用表示板構造の実施例２の一部省略した断面図である。
【００３７】
本発明に係るソーラー時計用表示板構造の実施例２におけるソーラー時計用表示板１２は、無色透明樹脂からなる表示板基板１３と、この表示板基板１３の表面（上面）に設けられた蓄光蛍光体層１４−１と、この蓄光蛍光体層１４−１の表面に形成された透明樹脂層（オーバーコート）１９と、表示板基板１３の表面の外周に形成された光蛍光体層１４−１と同色調を有する内、外側有色樹脂層１５Ａ−１、１５Ｂ−１と、表示板基板１３の裏側に設けられたスペーサー１６とから構成してある。
【００３８】
すなわち、実施例２にあっては、表示板基板１３の表面には、孔１３Ａの周囲に位置させてリング状の内側有色樹脂層１５Ａ−１が、表示板基板１３の外周側に位置させてリング状の外側有色樹脂層１５Ｂ−１がそれぞれ印刷により形成してある。そして、表示板基板１３の表面には、内、外側有色樹脂層１５Ａ−１、１５Ｂ−１の間に蓄光蛍光体層１４−１が塗装またはスクリーン印刷、パッド印刷等により形成してある。
【００３９】
そして、内側有色樹脂層１５Ａ−１と蓄光蛍光体層１４−１と外側有色樹脂層１５Ｂ−１のそれぞれの表面に透明樹脂層１９が形成してあり、この透明樹脂層１９に時字２１が印刷、接着等により設けてある。表示板基板１３の裏面には、裏面に接着剤１６ａの付いたアクリル樹脂シートをリング状にプレスにより打ち抜き成形したスペーサー１６が接着により設けてある。
【００４０】
そして、スペーサー１６を表示板基板１３の裏面に接着したソーラー時計用表示板１２がソーラーセル１１上に組み付けてあり、この場合、ソーラーセル１１と表示板基板１３との間には隙間１８が存在する。
【００４１】
したがって、上記した実施例２によれば、光透過体である蓄光蛍光体層１４−１の内、外周部１４Ａ−１、１４Ｂ−１が薄くなっていても、表示板基板１３の中心付近では、内側有色樹脂層１５Ａ−１があるために、ソーラーセル１１が見えることがなく、また、表示板基板１３の外周付近では、外側有色樹脂層１５Ｂ−１があるために、ソーラーセル１１が見えることがない。このために、外観品質がよくなり、また、ソーラーセル１１と蓄光蛍光体層１４−１との間には隙間１８が存在するために、ソーラーセル１１と蓄光蛍光体層１４−１が接触することがなく、干渉縞（ニュートンリング）が生じることもないために、外観品質がよくなる。
【００４２】
しかも、透明樹脂層１９により蓄光蛍光体層１４−１の表面全体が覆われているために、蓄光蛍光体層１４−１の外周が外胴２の見切部との長期間の接触により粒子がとれモジュールの中に入り、機能問題を招くことがなくなり、更に、蓄光蛍光体層１４−１が外気に触れて湿気で、輝度が劣化することがなくなる。
【００４３】
（実施例３）
図３は本発明に係るソーラー時計用表示板構造の実施例３の一部省略した断面図である。
【００４４】
本発明に係るソーラー時計用表示板構造の実施例３におけるソーラー時計用表示板１２は、有色透明樹脂からなる表示板基板１３−１と、この表示板基板１３−１の裏面（下面）に設けられた蓄光蛍光体層１４と、この蓄光蛍光体層１４の表面に形成された透明樹脂層（オーバーコート）１９と、表示板基板１３−１の裏面の中心の孔１３Ａ−１周囲と表示板基板１３−１の外周とに設けられたスペーサー１６とから構成してある。この場合、有色透明樹脂からなる表示板基板１３−１は、この表示板基板１３−１の成形時に、蓄光蛍光体層１４を形成する樹脂を混合することにより、蓄光蛍光体層１４と同系色にしてある。
【００４５】
すなわち、実施例３にあっては、表示板基板を有色透明樹脂から構成し、この表示板基板１３−１の裏面には、外周側に位置させて裏面に接着剤１６ａの付いたアクリル樹脂シートをリング状にプレスにより打ち抜き成形したスペーサー１６が接着剤１６ａにより接着してある。そして、表示板基板１３−１の裏面には、接着されたスペーサー１６の内周側に蓄光蛍光体層１４が塗装またはスクリーン印刷、パッド印刷等により形成してあり、前記蓄光蛍光体層１４の表面には透明樹脂層（オーバーコート）１９が形成してある。そして、表示板基板１３−１の表面には時字２１が印刷、接着等で設けてある。
【００４６】
そして、前記表示板基板１３−１の裏面に接着したスペーサー１６をソーラーセル１１に接着されたヒートシール１７の上に組み付けてあり、この場合、ソーラーセル１１と透明樹脂層１９が施された蓄光蛍光体層１４との間には隙間１８が存在する。
【００４７】
したがって、上記した実施例３によれば、光透過体である蓄光蛍光体層１４の内、外周部１４Ａ、１４Ｂが薄くなっていても、表示板基板１３−１が有色透明樹脂から構成してあるために、腕時計１を見た場合、表示板基板１３−１の中心付近では、有色透明樹脂が蓄光蛍光体層１４と同系色のためソーラーセル１１が見えなくなり、また、表示板基板１３−１の外周付近でも、前記同様にソーラーセル１１が見えることがない。このために、外観品質がよくなるし、また、ソーラーセル１１と透明樹脂層（オーバーコート）１９が施された蓄光蛍光体層１４との間には隙間１８が存在するために、蓄光蛍光体層１４の粒子が取れ、モジュール４の中に入り、機能に悪影響を及ぼすということがなく、隙間１８により接触がなくなり、干渉縞（ニュートンリング）が生じることもないために、機能品質の問題がなくなり、その上、外観品質もよくなる。また、蓄光蛍光体層の色と有色樹脂の色とにより新しい色調の表現ができる。また、更に、蓄光蛍光体層の光が有色樹脂により反射され、蓄光蛍光体層の輝度を上げることができる。
【００４８】
しかも、透明樹脂層１９により蓄光蛍光体層１４の表面全体が覆われているために、長時間の使用でも、蓄光蛍光体層１４が外気に触れることがなくなって、蓄光蛍光体層１４が湿気で、輝度が劣化することがなくなる。
【００４９】
（実施例４）
図４は本発明に係るソーラー時計用表示板構造の実施例４の一部省略した断面図である。
【００５０】
本発明に係るソーラー時計用表示板構造の実施例４におけるソーラー時計用表示板１２は、有色透明樹脂からなる表示板基板１３−１と、この表示板基板１３−１の裏面（下面）に設けられた蓄光蛍光体層１４と、この蓄光蛍光体層１４の表面に形成された透明樹脂層（オーバーコート）１９と、表示板基板１３−１の裏面の中心の孔１３Ａ−１周囲と表示板基板１３−１の外周とに形成された内、外側有色樹脂層１５Ａ、１５Ｂと、これらの内、外側有色樹脂層１５Ａ、１５Ｂに接着剤１６ａにより重ねて接着されたスペーサー１６とから構成してある。
【００５１】
すなわち、実施例４にあっては、表示板基板を有色透明樹脂で構成し、この表示板基板１３−１の裏面には、孔１３Ａ−１の周囲に位置させてリング状の内側有色樹脂層１５Ａが、表示板基板１３−１の外周側に位置させてリング状の外側有色樹脂層１５Ｂがそれぞれ印刷により形成してある。そして、表示板基板１３−１の裏面には、内、外側有色樹脂層１５Ａ、１５Ｂの間に蓄光蛍光体層１４が塗装またはスクリーン印刷、パッド印刷等により形成してあり、外側有色樹脂層１５Ｂの面には、裏面に接着剤１６ａの付いたアクリル樹脂シートをリング状にプレスにより打ち抜き成形したスペーサー１６が接着剤１６ａにより接着して設けてある。そして、蓄光蛍光体層１４の表面に透明樹脂層（オーバーコート）１９が形成してある。そして、表示板基板１３−１の表面には時字２１が設けてある。
【００５２】
そして、スペーサー１６をソーラーセル１１に接着されたリング状のヒートシール１７の上に重なるように配置して、ソーラー時計用表示板１２をソーラーセル１１上に組み付けてあり、この場合、ソーラーセル１１と透明樹脂層１９との間には隙間１８が存在する。
【００５３】
したがって、上記した実施例４によれば、光透過体である蓄光蛍光体層１４の内、外周部１４Ａ、１４Ｂが薄くなっていても、表示板基板１３−１が有色透明樹脂から構成してあり、しかも、表示板基板１３−１の裏面に、孔１３Ａ−１の周囲に位置させてリング状の内側有色樹脂層１５Ａが、外周側に位置させてリング状の外側有色樹脂層１５Ｂがそれぞれ印刷により形成してあって、腕時計１を見た場合、表示板基板１３−１の中心付近では、ソーラーセル１１が見えることがなく、また、表示板基板１３−１の外周付近でもソーラーセル１１が見えることがない。このために、外観品質がよくなり、また、ソーラーセル１１と蓄光蛍光体層１４との間には隙間１８が存在するために、ソーラーセル１１と蓄光蛍光体層１４が接触することがなく、干渉縞（ニュートンリング）が生じることもないために、外観品質がよくなる。また、蓄光蛍光体層の色と有色樹脂の色とにより新しい色調の表現ができる。また、更に、蓄光蛍光体層の光が有色樹脂により反射され、蓄光蛍光体層の輝度を上げることができる。
【００５４】
しかも、透明樹脂層１９により蓄光蛍光体層１４の表面全体が覆われているために、蓄光蛍光体層１４が長期間の接触により粒子がとれてモジュールの中に入り、機能低下を招くことがなくなり、更に、蓄光蛍光体層１４が外気に触れて湿気で、輝度が劣化することがなくなる。
【００５５】
【発明の効果】
以上説明したように、本発明に係るソーラー時計用表示板構造によれば、光透過体である蓄光蛍光体層の周部が薄くなっていても、ソーラーセルが透けて見えることがなく、外観品質がよくなる。
【００５６】
また、ソーラー時計用表示板がソーラーセル上に組み付けられた状態では、ソーラーセルと蓄光蛍光体層との間には隙間が存在するために、ソーラーセルと蓄光蛍光体層が接触することがなく、干渉縞（ニュートンリング）が生じることもないために、外観品質がよくなる。また、蓄光蛍光体層の色と有色樹脂の色とにより新しい色調の表現ができる。また、更に、蓄光蛍光体層の光が有色樹脂により反射され、蓄光蛍光体層の輝度を上げることができる。
【００５７】
また、透明樹脂層により蓄光蛍光体層の表面が覆われているために、蓄光蛍光体層が外気に触れることがなく、長期間の使用でも蓄光蛍光体層が湿気で、輝度が劣化することがなくなる。
【図面の簡単な説明】
【図１】本発明に係るソーラー時計用表示板装置の実施例１の一部省略した断面図である。
【図２】本発明に係るソーラー時計用表示板装置の実施例２の一部省略した断面図である。
【図３】本発明に係るソーラー時計用表示板装置の実施例３の一部省略した断面図である。
【図４】本発明に係るソーラー時計用表示板装置の実施例４の一部省略した断面図である。
【図５】従来のソーラー時計用表示板装置を備えた腕時計の平面図である。
【図６】同腕時計の断面図である。
【図７】従来のソーラー時計用表示板装置の一部省略した断面図である。
【符号の説明】
１３      表示板基板
１３Ａ    孔
１３−１  孔
１４      蓄光蛍光体層
１５Ａ    内側有色樹脂層
１５Ｂ    外側有色樹脂層
１６      スペーサー
１７      ヒートシール
【図１】
0003745087.tif 000002
【図２】
0003745087.tif 000003
【図３】
0003745087.tif 000004
【図４】
0003745087.tif 000005
【図５】
0003745087.tif 000006
【図６】
0003745087.tif 000007
【図７】
0003745087.tif 000008